【手続補正書】
【提出日】平成15年9月12日(2003.9.12)
【手続補正１】
【補正対象書類名】明細書
【補正対象項目名】全文
【補正方法】変更
【補正の内容】
【発明の名称】配送伝票
【特許請求の範囲】
【請求項１】伝票基材の裏面側に粘着剤を塗布するとともに剥離紙で被覆してなる、貼付票を有する配送伝票であって、配送伝票の適所に保証書ラベル部を分離可能に区画形成したことを特徴とする配送伝票。
【請求項２】伝票基材の裏面側に粘着剤を塗布するとともに剥離紙で被覆してなる、貼付票を有する配送伝票であって、配送伝票の適所に前記伝票基材から前記剥離紙面に達するスリットで保証書ラベル部を分離可能に区画形成する一方、前記剥離紙には前記保証書ラベル部を区画形成するスリットの外側に対応位置してスリットを設けたことを特徴とする配送伝票。
【発明の詳細な説明】
【０００１】
【発明の属する技術分野】
本発明は、伝票基材の裏面側に粘着剤を塗布するとともに剥離紙で被覆してなる、貼付票を有する配送伝票に関し、特に、保証書を収納した包装容器に貼付して使用するのに適した配送伝票に関する。
【０００２】
【従来の技術】
従来の保証書を収納した包装容器に貼付して使用する配送伝票は、保証書との関連はなんら考慮されておらず、配送作業に必要な貼付票などの伝票を備えているに過ぎない。
【０００３】
【発明が解決しようとする課題】
したがって、従来においては、包装容器から保証書を取り出して、販売店名、販売日などの必要事項を記入したうえ、再度、保証書を包装容器内に収納している。このため、保証書の取り扱いが煩雑で、作業効率が劣るという不都合があった。本発明は、この不都合を解消した配送伝票を提供することを目的とする。
【０００４】
【課題を解決するための手段】
この目的を達成するために、本発明の請求項１に記載した配送伝票は、伝票基材の裏面側に粘着剤を塗布するとともに剥離紙で被覆してなる、貼付票を有する配送伝票であって、配送伝票の適所に保証書ラベル部を分離可能に区画形成したものである。
【０００５】
また、同じく上述の目的を達成するために、本発明の請求項２に記載した配送伝票は、伝票基材の裏面側に粘着剤を塗布するとともに剥離紙で被覆してなる、貼付票を有する配送伝票であって、配送伝票の適所に、前記伝票基材から保証書ラベル部をスリットで区画形成してこの保証書ラベル部を分離可能とする一方、前記剥離紙には前記保証書ラベル部を区画形成するスリットの外側に対応位置してスリットを設けたものである。
【０００６】
【発明の実施の形態】
以下、添付図面に基いて本発明の好適な実施形態を説明する。ここにおいて、図１は配送伝票の平面図、図２はその背面図、図３は図１のＡ−Ａ線断面図、図４は同じく図１のＢ−Ｂ線断面図、図５は配送伝票を包装容器に接着した状態を示す断面図、図６は保証書ラベル部の剥離状態を示す斜視図、図７は保証書に保証書ラベル部を貼着した状態を示す平面図である。
【０００７】
図１〜図４に示すように、配送伝票１は、伝票基材２の裏面に剥離可能な感圧性接着剤３により補助基材４を互いに剥離可能に設け、さらにこの補助基材４の裏面、すなわち伝票基材２の裏面側に、粘着剤５を塗布して、これを剥離紙６で被覆している。前記配送伝票１は、伝票基材２にスリット７を設けて、配達票８と貼付票９とを区画形成している。また、前記貼付票９の下端部に連接して、区画線１０で区画した保証書シール１１を設けている。
【０００８】
図１に示すように、受領証を兼ねる配達票８の表面には、「配達票」なる標題１２のほか、届け先記入欄１３、依頼主記入欄１４、品名記入欄１５、着店コード記入欄１６、個口数記入欄１７、受領印捺印欄１８を設けている。また、貼付票９の表面には、「貼付票」なる標題１９のほか、届け先記入欄２０、依頼主記入欄２１、受付年月日記入欄２２、個口数記入欄２３、取り扱い会社表示２４を設けている。
【０００９】
さらに、図１〜図４に示すように、保証書シール１１には、その表面に「保証書シール」という標題２５を設け、伝票基材２と補助基材４を貫通して剥離紙６面にまで達するコ字状のスリット２６で、保証書ラベル部２７を区画形成している。この保証書ラベル部２７の表面には、商品販売会社名２８をあらかじめ印刷する一方、空白部分には追って保証書発行日、すなわち商品販売日を印字するものである。
【００１０】
また、図２〜図４に示すように、剥離紙６には、前記スリット２６の外側に対応位置してスリット２９を設け、前記保証書ラベル部２７より一回り大きいラベル保護部６ａを形成している。なお、図示していないが、前記保証書シール１１には、表面の適所に、前記保証書ラベル部２７の使用方法を説明する説明文を印刷してある。
【００１１】
続いて、上述した配送伝票１の使用方法を説明する。まず、配達票８と貼付票９の各記入欄１３，１４，１５，１６，１７，２０，２１，２２，２３にそれぞれ所定事項を印字するとともに、保証書ラベル部２７の空白部分には保証書発行日を印字する。次に、剥離紙６をラベル保護部６ａを除いて補助基材４から剥離し、図５に示すように、露出した粘着剤５で配送品（図示せず）と保証書３１（図７参照）を収納した包装容器３０の適所に貼着する（図６参照）。
【００１２】
この後、通常の配送作業に移るのであるが、配達票８は配送作業の途上において、補助基材４から剥離して使用する。届け先記入欄１３，２０に印字記入された届け先に配送品を配達する際には、前記配達票８の受領印捺印欄１８に受領印の捺印を受ける。一方、届け先では、図６に示すように、包装容器３０に貼着した保証書シール１１から保証書ラベル部２７を分離する。この時、前記保証書ラベル部２７は、ラベル保護部６ａに剥離可能に接着しているので、スリット２６に沿って容易に剥離することができる。
【００１３】
そして、この分離した保証書ラベル部２７は、図７に示すように、包装容器３０内に収納されていた保証書３１の販売店名欄３２に、露出した裏面の粘着剤５によって貼着し、適正な保証書３１としたうえ、この保証書３１を保管するものである。
【００１４】
なお、本発明は上述した実施形態に限定されるものではなく、例えば、剥離可能な感圧性接着剤３は配達票８に対応する部分にのみ設ければよく、貼付票９及び保証書シール１１に対応する部分は、通常の接着力を有する剥離困難な感圧性接着剤を用いてもよい。また、配送伝票１は、少なくとも貼付票９を有していればよく、配達票８は必ずしも存在する必要はない。この配達票８がなく、貼付票９だけの場合には、補助基材４を介在する必要はなく、伝票基材２の裏面に直接粘着剤５を塗布して、剥離紙６で被覆すればよい。さらに、保証書ラベル部２７は、配送伝票１の一側端からコ字状に延びるスリット２６によって形成したが、これを配送伝票１の一側端から距離をおいた位置で、四角形状に延びるスリットで形成してもよい。
【００１５】
【発明の効果】
以上説明したように、本願発明の請求項１に記載した配送伝票によれば、保証書を作成するために、配送作業の前段階あるいはその途上において、包装容器内に収納してある保証書を、取り出したり、再度収納するという、煩雑な作業をすることがなく、簡便であるとともに、作業効率も向上するという効果を奏する。
【００１６】
また、本願発明の請求項２に記載した配送伝票によれば、上述した効果に加えて、保証書ラベル部の分離動作が容易であるという効果を奏する。
【図面の簡単な説明】
【図１】配送伝票の平面図。
【図２】配送伝票の背面図。
【図３】図１のＡ−Ａ線断面図。
【図４】図１のＢ−Ｂ線断面図。
【図５】配送伝票を包装容器に接着した状態を示す断面図。
【図６】保証書ラベル部の剥離状態を示す斜視図。
【図７】保証書に保証書ラベル部を貼着した状態を示す斜視図。
【符号の説明】
１      配送伝票
２      伝票基材
３      剥離可能な感圧性接着剤
４      補助基材
５      粘着剤
６      剥離紙
６ａ      ラベル保護部
８      配達票
９      貼付票
１１      保証書シール
２６      スリット
２７      保証書ラベル部
２９      スリット
３１      保証書